(57)【要約】【課題】  可及的に少数の部品によって簡易構成したカウンターやテーブルに載置して使用するディスプレイ装置を提供する。【解決手段】  金属製の保持枠２０の底面にＬＥＤユニット２１を熱伝導性両面テープによってＬＥＤチップを上向きに固定する一方，保持枠２０の長手方向両端に一対の支持脚２１のボルト２３を貫通してナット２４止めし，熱伝導用スペーサー２５を介して保持枠２０に導光パネル１０やその背面の金属製の背面パネル１４等を浮かし支持し，また透明パネル１２を導光パネル１０に永久磁石３１によって着脱自在に配置する。保持枠２０と背面パネル１４によってＬＥＤチップの発熱を放熱し，また透明パネル１２を外してポジフィルムの交換を行うようにした背面照明のディスプレイ装置Ａとすることができる。【選択図】  図２
2008276124.tif 000002
【特許請求の範囲】
【請求項１】
導光パネルの正面に配置した光拡散材とその正面の透明パネル間の光透過性フィルムをＬＥＤチップ直列配置のＬＥＤユニットによって背面照明する簡易構成のディスプレイ装置であって，上記導光パネル又は光拡散材に磁性体を，該磁性体位置に対応して透明パネルに永久磁石をそれぞれ配置することによって導光パネルに透明パネルを着脱自在とし，導光パネル下位に配置した金属製上向き開口の保持枠にＬＥＤチップを上向きとして熱伝導性両面テープ又は熱伝導性接着剤によって上記ＬＥＤユニットを接着して該保持枠を放熱手段とする一方，上記導光パネルの幅方向複数箇所を，上記保持枠の長手方向複数箇所に配置して該保持枠を所定角度に傾斜起立する複数の支持脚を貫通することによって該導光パネルを上記ＬＥＤチップから浮かし支持してなることを特徴とする背面照明用簡易ディスプレイ装置。
【請求項２】
上記導光パネルの裏面に反射材又は反射材と背面パネルを備えてなることを特徴とする請求項１に記載の背面照明用簡易ディスプレイ装置。
【請求項３】
上記導光パネルの裏面に反射材とその裏面の金属製の背面パネルとを備えるとともに上記保持枠を該背面パネルと一体又は一体的に配置してなることを特徴とする請求項１に記載の背面照明用簡易ディスプレイ装置。
【請求項４】
導光パネルの正面に配置した光拡散材とその正面の透明パネル間の光透過性フィルムをＬＥＤチップ直列配置のＬＥＤユニットによって背面照明する簡易構成のディスプレイ装置であって，上記導光パネル又は光拡散材に磁性体を，該磁性体位置に対応して透明パネルに永久磁石をそれぞれ配置することによって導光パネルに透明パネルを着脱自在とし，導光パネルの裏面に反射材と背面パネルを配置するとともに該背面パネルの下位に一体又は一体的に配置した金属製上向き開口の保持枠にＬＥＤチップを上向きとして熱伝導性両面テープ又は熱伝導性接着剤によって上記ＬＥＤユニットを接着して該保持枠を放熱手段とする一方，該保持枠にＬＥＤチップより僅少高位の該保持枠長手方向複数箇所の支持スペーサーを介して導光パネルを上記ＬＥＤチップから浮かし支持してなることを特徴とする背面照明用簡易ディスプレイ装置。
【発明の詳細な説明】
【技術分野】
【０００１】
本発明は，表面の光透過性フィルムによる宣伝広告，装飾等に使用する背面照明用簡易ディスプレイ装置に関する。
【背景技術】
【０００２】
この種背面照明用のディスプレイ装置として，例えば，本発明者らによる最先に導光板を用いて実用化したものが知られており，これによれば，ハウジングに蛍光灯光源を密封空間に収容した光源ユニットと，該光源ユニットの上面に配置し，外周に額縁を配して中央を開口した保持ケースと，該保持ケースに配置したアクリル樹脂の導光パネルとを備えたものとされ，各導光パネルは，その背面に形成した導光パタンによって入射光を可及的均一に光源離隔方向に導光することによって，その表面に配置した光透過性フィルムを背面照明するものとされ，その後この種ディスプレイ装置は，拡散材，反射材等を用いることによって，更にその導光パタンの透けを防止し，その均一性を高度に確保するものとして改善されている。
【０００３】
【特許文献１】特許第２６２３０２８号公報
【発明の開示】
【発明が解決しようとする課題】
【０００４】
この場合，広告宣伝や装飾に使用するディスプレイ装置とすることができるが，一方で，その後のものにも見られるように，この種のディスプレイ装置は，多数の部品を用いることによって比較的複雑な構造となるとともにコストが高くなる傾向があり，また保持ケースには額縁を配したことによってデザイン的に鬱陶しい印象を与えるという問題点がある。一方，導光パネルの光源として，高輝度ＬＥＤチップを直列配置したＬＥＤユニットを，このようなディスプレイ装置に用いると，該高輝度ＬＥＤチップは，相当程度の発熱を伴うために，その放熱を的確に行うことが必要になるが，上記光源ユニットの場合，その放熱を行うことが困難であり，従ってディスプレイ装置は，ＬＥＤチップの放熱を行う必要が生じる。
【０００５】
本発明はかかる事情に鑑みてなされたもので，その解決課題とするところは，可及的に少ない部材によって全体を可及的簡易な構造として低コストに供給可能とするとともに高輝度ＬＥＤチップを用いることによって可及的高輝度な背面照明を実現するとともに該高輝度ＬＥＤチップを用いることによって必要となる放熱を可及的簡易且つ確実になし得るようにした背面照明用簡易ディスプレイ装置を提供するにある。
【課題を解決するための手段】
【０００６】
上記課題に沿って，本発明は，導光パネル，透明パネル，金属製保持枠，ＬＥＤユニット，保持枠傾斜支持用の支持脚等の可及的に少数の部品によってディスプレイ装置を簡易に構成するとともにＬＥＤユニットを上記金属製の保持枠に，そのＬＥＤチップを導光パネルの入射端面に対面する上向きにして，熱伝導性の両面テープ又は接着剤によって接着固定することにより，その発熱を該保持枠を放熱手段として放熱して，高輝度ＬＥＤチップを用いる発熱の問題を解消する一方，導光パネルの保持枠への設置を，ディスプレイ装置を後傾状態に維持するように保持枠に配置した複数の支持脚を貫通することによって下支えして浮かし支持することによって，これを行い，また該導光パネル乃至その正面に配置した光拡散材に対して透明パネルを永久磁石によって着脱自在にして，光透過性フィルムの設置と交換を容易になし得るようにしたものであって，即ち請求項１に記載の発明を，導光パネルの正面に配置した光拡散材とその正面の透明パネル間の光透過性フィルムをＬＥＤチップ直列配置のＬＥＤユニットによって背面照明する簡易構成のディスプレイ装置であって，上記導光パネル又は光拡散材に磁性体を，該磁性体位置に対応して透明パネルに永久磁石をそれぞれ配置することによって導光パネルに透明パネルを着脱自在とし，導光パネル下位に配置した金属製上向き開口の保持枠にＬＥＤチップを上向きとして熱伝導性両面テープ又は熱伝導性接着剤によって上記ＬＥＤユニットを接着して該保持枠を放熱手段とする一方，上記導光パネルの幅方向複数箇所を，上記保持枠の長手方向複数箇所に配置して該保持枠を所定角度に傾斜起立する複数の支持脚を貫通することによって該導光パネルを上記ＬＥＤチップから浮かし支持してなることを特徴とする背面照明用簡易ディスプレイ装置としたものである。
【０００７】
請求項２に記載の発明は，上記に加えて，導光パネルに反射材又は該反射材と背面パネルを配置することによって，ディスプレイ装置としての完成度を高めて，背面照明の照明輝度を可及的高度に確保し得るものとするように，これを，上記導光パネルの裏面に反射材又は反射材と背面パネルを備えてなることを特徴とする請求項１に記載の背面照明用簡易ディスプレイ装置としたものである。
【０００８】
請求項３に記載の発明は，同じく上記に加えて，導光パネルに反射材及び金属製の背面パネルを配置することによって，同様にディスプレイ装置としての完成度を高めて，背面照明の照明輝度を可及的高度に確保し，また上記保持枠を該背面パネルに一体又は一体的に配置することによって，背面パネルを保持枠とともに放熱手段として，ディスプレイ装置の放熱効率を更に向上したものとするように，これを，上記導光パネルの裏面に反射材とその裏面の金属製の背面パネルとを備えるとともに上記保持枠を該背面パネルと一体又は一体的に配置してなることを特徴とする請求項１に記載の背面照明用簡易ディスプレイ装置としたものである。
【０００９】
請求項４に記載の発明は，上記導光パネルの保持を，保持枠の長手方向複数箇所に配置した支持用のスペーサーによって，ＬＥＤチップに接触しないように下支えして浮かし支持することによって，光拡散材，反射材，背面パネルを用いるも，上記と同様に，可及的に少数の部品によってディスプレイ装置を簡易に構成するとともに高輝度ＬＥＤチップを用いる発熱の問題を解消したものであって，これを，導光パネルの正面に配置した光拡散材とその正面の透明パネル間の光透過性フィルムをＬＥＤチップ直列配置のＬＥＤユニットによって背面照明する簡易構成のディスプレイ装置であって，上記導光パネル又は光拡散材に磁性体を，該磁性体位置に対応して透明パネルに永久磁石をそれぞれ配置することによって導光パネルに透明パネルを着脱自在とし，導光パネルの裏面に反射材と背面パネルを配置するとともに該背面パネルの下位に一体又は一体的に配置した金属製上向き開口の保持枠にＬＥＤチップを上向きとして熱伝導性両面テープ又は熱伝導性接着剤によって上記ＬＥＤユニットを接着して該保持枠を放熱手段とする一方，該保持枠にＬＥＤチップより僅少高位の該保持枠長手方向複数箇所の支持スペーサーを介して導光パネルを上記ＬＥＤチップから浮かし支持してなることを特徴とする背面照明用簡易ディスプレイ装置としたものである。
【００１０】
本発明は，これらをそれぞれ発明の要旨として，上記課題解決の手段としたものである。
【発明の効果】
【００１１】
本発明は以上のとおりに構成したから，請求項１に記載の発明は，本発明は，導光パネル，透明パネル，金属製保持枠，ＬＥＤユニット，保持枠傾斜支持用の支持脚等の可及的に少数の部品によってディスプレイ装置を簡易に構成するとともにＬＥＤユニットを上記金属製の保持枠に，そのＬＥＤチップを導光パネルの入射端面に対面する上向きにして，熱伝導性の両面テープ又は接着剤によって接着固定することにより，その発熱を，該保持枠を放熱手段として放熱して，高輝度ＬＥＤチップを用いる発熱の問題を解消する一方，導光パネルの保持枠への設置を，ディスプレイ装置を後傾状態に維持するように保持枠に配置した複数の支持脚を貫通することによって下支えして浮かし支持することによって，これを行い，また該導光パネルに対して透明パネルを永久磁石によって着脱自在にして，光透過性フィルムの設置と交換を容易になし得るようにして，可及的に少ない部材によって全体を可及的簡易な構造として低コストに供給可能とするとともに高輝度ＬＥＤチップを用いることによって可及的高輝度な背面照明を実現するとともに該高輝度ＬＥＤチップを用いることによって必要となる放熱を可及的簡易且つ確実になし得るようにした背面照明用簡易ディスプレイ装置を提供することができる。
【００１２】
請求項２に記載の発明は，上記に加えて，導光パネルに反射材又は該反射材と背面パネルを配置することによって，ディスプレイ装置としての完成度を高めて，導光パタンの透けを防止するとともに背面照明の照明輝度を可及的高度に確保し得るものとすることができる。
【００１３】
請求項３に記載の発明は，同じく上記に加えて，導光板に反射材及び金属製の背面パネルを配置することによって，同様にディスプレイ装置としての完成度を高めて，背面照明の照明輝度を可及的高度に確保し，また上記保持枠を該背面パネルに一体又は一体的に配置することによって，背面パネルを保持枠とともに放熱手段として，ディスプレイ装置の放熱効率を更に向上したものとすることができる。
【００１４】
請求項４に記載の発明は，上記導光パネルの保持を，保持枠の長手方向複数箇所に配置した支持用のスペーサーによって，ＬＥＤチップに接触しないように下支えして浮かし支持することによって，光拡散材，反射材，背面パネルを用いるも，上記と同様に，可及的に少数の部品によってディスプレイ装置を簡易に構成するとともに高輝度ＬＥＤチップを用いる発熱の問題を解消したディスプレイ装置とすることができる。
【発明を実施するための最良の形態】
【００１５】
以下図面の例に従って本発明を更に具体的に説明すれば，図１乃至図５において，Ａは，導光パネル１０，光拡散材１１，透明パネル１２，金属製保持枠２０，ＬＥＤユニット２１，保持枠傾斜支持用の支持脚２２等の可及的に少数の部品によって簡易構成し，導光パネル１０の正面に配置した光拡散材１１とその正面の透明パネル１２間の光透過性フィルムをＬＥＤチップ直列配置のＬＥＤユニット２１によって背面照明する簡易構成のディスプレイ装置であり，該簡易ディスプレイ装置Ａは，上記導光パネル１０又は光拡散材１１に磁性体３０を，該磁性体３０位置に対応して透明パネル１２に永久磁石３１をそれぞれ配置することによって導光パネル１０に透明パネル１２を着脱自在とし，導光パネル１０下位に配置した金属製上向き開口の保持枠２０にＬＥＤチップを上向きとして熱伝導性両面テープ又は熱伝導性接着剤によって上記ＬＥＤユニット２１を接着して該保持枠２０を放熱手段とする一方，上記導光パネル１０の幅方向複数箇所を，上記保持枠２０の長手方向複数箇所に配置して該保持枠２０を所定角度に傾斜起立する複数の支持脚２２を貫通することによって該導光パネル１０を上記ＬＥＤチップから浮かし支持したものとしてあり，本例にあって，上記導光パネル１０は，その裏面に反射材又は反射材と背面パネル，本例にあっては反射材１３と背面パネル１４を備えたものとしてある。
【００１６】
導光パネル１０は，アクリル，ポリカーボネート等の透明樹脂板の裏面にスクリーン印刷により，また透明樹脂板と一体成形したドット，ヘアライン等，本例にあっては高密度配置のドットによる導光パタンを配置し，下端の入射端面から光源のＬＥＤチップの入射光を入射し，該導光パタンの導光により背面照明を行うものとし，このとき該導光パネル１０の背面に配置した反射材１３は，例えばポリエステル乃至発泡ポリエステル等の白色シートによるものとし，該反射材１３によって，導光パネル１０内の入射光の反射を促進し，その背面照明を可及的有効に行うようにしてある。
【００１７】
光拡散材１１は，上記導光パネル１０に形成した導光パタンが，その背面照明時に正面に透けないように，例えば乱反射機能を有する光透過性の白色シートや，同じく乱反射機能を有するレンズシート等によるものとして，これを導光パネル１０の正面に積層状に配置してある。
【００１８】
磁性体３０は，鉄片等の強磁性体を使用することができるが，本例にあっては鉄片より磁性の弱い，例えば薄肉のステンレス片を用いて，光拡散材１１に形成した透孔を介してその表面に突出するように導光パネル１０のコーナー４ヶ所に接着固定し又は上記光拡散材１１の表面のコーナー４ヶ所に直接に接着固定してある。
【００１９】
背面パネル１４は，例えばアルミ板や塗装鉄板等の金属板によって形成し，ディスプレイ装置Ａに上記反射材１３が露出することによって，該反射材１３が捲れたり，外力を受けて破損したりすることのないように，背面の化粧を兼ねて，その保護を行ってあり，本例にあって該背面パネル１４は，その正面に上記白色シートによる反射材１３を，例えば接着によって一体的に保持して，導光パネル１０の背面に同じく積層状に配置してある。
【００２０】
透明パネル１２は，アクリル，ポリカーボネート等の透明樹脂板又は透明ガラス，本例にあっては透明樹脂板によって，例えば導光パネル１０及び光拡散材１１より高さ寸法を短くして形成してあり，そのコーナー４ヶ所にそれぞれ永久磁石３１を配置したものとしてある。
【００２１】
このとき該永久磁石３１は，例えば，図４に示すように透明パネル１２に形成した受孔に嵌合配置して，上記導光パネル１０又は光拡散材１１に固定した磁性体３０に対して吸着することによって該透明パネル１２を該導光パネル１０又は光拡散材１１に着脱自在に配置してある。本例にあって永久磁石３１は，例えば図４に示すように，透明パネル１２に透設した透孔に埋め込み状にしてその表面に僅かに突出するように嵌合してその配置を行う一方，該透明パネル１２の透孔周縁に接着した磁性体，特に強磁性体の，例えば鉄片によるカバー部材３２を配置し，該カバー部材３２を永久磁石３１に直付け状に吸着固定するようにしてあり，これによって，該永久磁石３１は，上記導光パネル１０又は光拡散材１１の，本例にあってステンレス片とした磁性体３０に吸着して該透明パネル１２の保持を行うとともに透明パネル１２の，例えば上端に手を掛けて正面側に引くことによって，上記導光パネル１０又は光拡散材１１の磁性体３０との吸着力の差を利用して，透明パネル１２を，これに嵌合した上記永久磁石３１とともに取り外すことができるようにしてある。また図５に示すように，透明パネル１２の肉厚方向に表面側を径大とし，裏面側を径小とした異径一対の透孔を透設し，裏面側径小の透孔に永久磁石３１を，表面側径大の透孔に上記鉄片とし，該異径一対の透孔による肉厚方向中間の段部に同様に接着した強磁性体のカバー部材３２をそれぞれ配置することによって，該カバー部材３２が透明パネル１２から表面に突出するのを防止するとともに径大の透孔のカバー部材３２との空隙を利用して，同様に透明パネル１２を永久磁石３１とともに取り外すようにすることもできる。なお図５の例にあって，永久磁石３１を裏面側径小の透孔に嵌合接着すれば，カバー部材３２は，これを接着することなく，表面側径大の透孔に嵌め込み状に配置して，同じく永久磁石３１ともに透明パネル１２の取り外しを行うことが可能となる。
【００２２】
一方，保持枠２０は，例えば，同じくアルミ板や塗装鉄板等の金属板を折曲成形し又はＬ字材の底部を重合接着する等して，上向き開口にして断面Ｕ字状の金属製のものとして形成するとともにその正背面の壁面における長手方向両端に上記支持脚２２を挿通する透孔を透設してあり，本例にあって該保持枠２０は，例えば正面と背面の壁面高さを，正面において低く，背面において高くするように異高のＵ字状に形成することによって，正面の高さを規制してディスプレイ装置Ａとしてスマートな外観を確保するとともにその表面積を可及的に拡大したものとしてある。
【００２３】
ＬＥＤユニット２１は，帯状の基板に，その長手方向に多数の高輝度ＬＥＤチップを直列配置したものを用いて，上記保持枠２０の底壁，即ちその内側溝の底面に接着してその固定を行って該保持枠２０の長手方向略全長に亘ってＬＥＤチップを可及的高密度に配置し，上記導光パネル１０に可及的高輝度の入射光を供給するようにしてあり，このとき該ＬＥＤユニット２１の接着は，熱伝導性両面テープ又は接着剤，本例にあっては両面テープによって行ってある。これによって該ＬＥＤユニット２１を上記金属製，特に表面積を可及的に拡大した金属製の保持枠２０に対して固定したことによる放熱作用を利用して，該保持枠２０を放熱手段として，高輝度ＬＥＤチップの発熱を可及的有効且つ適確に放熱し，発熱によるＬＥＤチップの劣化等を解消して，その耐久性を確保したものとしてある。
【００２４】
上記導光パネル１０及び該導光パネル１０に積層する光拡散材１１，反射材１３を接着保持した背面パネル１４は，本例にあってその幅方向両端の同一位置に固定用の透孔を透設してあり，該透孔は，その位置及び径を上記保持枠の透孔に合せて透設することによって，上記支持脚２２の貫通により，該導光パネル１０，光拡散材１１，背面パネル１４を，上記ＬＥＤチップから浮かし状にして，保持枠２０に一体的に支持し，ディスプレイ装置Ａを形成するものとしてある。
【００２５】
本例にあって該支持脚２２は，例えばその基部先端に配置したボルト２３と該ボルト２３に螺装するナット２４とを備えた一対のボルトナットによるものとしてあり，上記基部及びナット径を保持枠２０の透孔より径大とするとともにボルト２３を該保持枠２０及び導光パネル１０等の透孔に合せた径小とし，保持枠２０の背面側の透孔から基部先端のボルトを正面側に向けて挿入し，保持枠２０の内側溝に下端を部分的に挿入した上記導光パネル１０，光拡散材１１，背面パネル１４の透孔を貫通して，該保持枠２０の正面側の透孔を介して該ボルト２３を正面側に突出し，該突出したボルト２３にナット２４を螺装することによって，導光パネル１０，光拡散材１１及び背面パネル１４を，その幅方向両端で，保持枠２０の上方位置に浮かし支持して，その一体的な支持を行うものとしてある。本例にあって該一対の支持脚２２は，これを保持枠２０に対して直交するように配置する一方，該支持脚２２の長さをコントロールして，保持枠２０を垂直状態から背面側に傾けた状態でディスプレイ装置Ａの設置を行うものとしてあり，本例のディスプレイ装置Ａにおける背面側に向けた後傾角度は，これを水平面に対して７５〜８０度程度となるようにして，カウンターやテーブルに置いて見易い角度を確保したものとしてある。
【００２６】
このとき上記保持枠２０は，その断面形状をＵ字状とし，その内法幅を上記光拡散材１１，導光パネル１０，反射材１３及び背面パネル１４の合計厚さより大きく形成してあるから，その一体的な支持に際して内法幅と合計厚さとの寸法差による空隙が形成される。光拡散材１１，導光パネル１０，反射材１３及び背面パネル１４を，例えば接着によって一体のユニットとして，該空隙を残すことも可能であるが，本例にあっては保持枠２０の光拡散材１１との間及び背面パネル１４との間に，アルミ，鉄等の金属製の熱伝導用スペーサー２５を介設してあり，これによって上記保持枠２０を放熱手段とするとともにＬＥＤユニット２１の発熱を，該保持枠２０と熱伝導用スペーサー２５を介して上記金属製とした背面パネル１４に伝導することによって，該背面パネル１４を，更に広面積の放熱手段として，速やかな放熱機能を確保したものとすることができる。
【００２７】
一方，上記透明パネル１２は，その下端を導光パネル１０，光拡散材１１等より短くしてあるから，上記光拡散材１１，導光パネル１０等の保持枠２０に対する浮かし支持の状態で，該透明パネル１２の下端は，保持枠２０に当ることなく，該保持枠２０の正面側壁面上に位置し，導光パネル１０における背面照明の有効面積をカバーして，その光拡散材１１の正面に上記永久磁石３１によって着脱することができる。
【００２８】
なお保持枠２０の下部長手方向両端が開放し，側面から保持枠２０内のＬＥＤユニット２１が見えるので，該下部の両端には，必要に応じて，例えば樹脂製の穴塞ぎを配置し，また保持枠２０の正面側の壁面を延設して背面側に折り曲げることによって，該保持枠２０の両端を閉塞して外観を向上できる。
【００２９】
図６は，他の例を示すもので，本例にあっては，上記導光パネル１０の裏面に反射材１１とその裏面の金属製の背面パネル１４とを備えるとともに上記保持枠２０を該背面パネル１４と一体又は一体的，本例にあっては一体的に配置した例であり，本例にあって，背面パネル１４は，同じくアルミ，塗装鉄板等の金属製のものとする一方，同じくアルミ，塗装鉄板等を折曲成形することによって形成した断面Ｕ字状の保持枠２０を，背面パネル１４の下端に重合するように配置したものとしてある。このとき本例にあって該保持枠２０は，その上方部分を内側に絞るように上向き開口を狭小化して，その開口幅を導光パネル１０，光拡散材１１，反射材１３及び背面パネル１４の合計厚さに近似した幅とすることによって，これらの浮かし支持状態で保持枠２０に空隙が生じるのを防止してある。本例にあっては上記保持枠２０を背面パネル１４と一体又は一体的に形成したことにより，ＬＥＤユニット２１の発熱は，上記と同様に，保持枠２０を介して背面パネル１４に伝導し，該保持枠２０とともに背面パネル２０を放熱手段として，速やかな放熱機能を確保したものとすることができる。その余の構成は，上記例と変らないので，同一符号を付して重複する説明を省略する。
【００３０】
図７は，更に他の例を示すもので，本例にあっては，同じく導光パネル１０の裏面に反射材１３と背面パネル１４を配置するとともに該背面パネル１４の下位に保持枠２０を一体又は一体的，本例にあっては一体的に配置するとともに，該保持枠２０にＬＥＤチップより僅少高位の該保持枠長手方向複数箇所の支持スペーサー２６を介して導光パネル１０を上記ＬＥＤチップから浮かし支持した例であり，本例にあって，上記保持枠２０，例えば断面Ｕ字状の保持枠２０は，これを，その背面側の壁面を背面パネル１４の下端と部分的に重合して，例えば両面テープ又は接着剤，本例にあっては上記ＬＥＤユニット２１の接着と同様に熱伝導性両面テープ又は熱伝導性接着剤によってこれらを接着して，その一体的な配置を行ってあり，また上記ＬＥＤチップの高さより，例えば１ｍｍ程度高さを高くした，合成樹脂，金属等の支持スペーサー２６を用いて，該スペーサー２６を保持枠２０の長手方向両端に一対配置して，該スペーサー２６に導光パネル１０，光拡散材１１，反射材１３，背面パネル１４を載置し又は載置固定することによって，その浮かし支持を行ったものとしてある。
【００３１】
本例の支持スペーサー２６は，例えばＬＥＤユニット２１を直列配置した保持枠２０の長手方向両端部に一対としたが，必要に応じて，即ち上記一体化したユニットの重量が嵩むときやディスプレイ装置Ａの幅が大きいとき等にはＬＥＤユニット２１間に更に支持スペーサー２６を適宜追加してその安定支持を行うものとしてある。保持枠２０の開口を狭小化したときは，上記一体化したユニットの配置は，該支持スペーサー２６に対して載置することで，ディスプレイ装置Ａとして支障なく使用できるが，保持枠２０の開口が該ユニットより広いときは，例えば支持スペーサー２６を断面Ｕ字状として，その溝内にこれらの下端を嵌合し又はこれに接着を施して固定することもできる。
【００３２】
このとき該導光パネル１０とこれに積層配置した，光拡散材１１，反射材１３，背面パネル１４は，上記ユニットとして一体化し又は保持枠２０の壁面と光反射材１１との間及び背面パネル１４との間に適宜な押えバーを介設する等してその固定を行うことによって，その位置ズレを防止するようにしてある。
【００３３】
なお背面の支持脚（図示省略）は，これを，保持枠２０を貫通することなく，例えば背面パネル１４又は保持枠２０のヒンジによって固定し又は支持脚の先端に背面パネル１４又は保持枠２０からネジを螺入することによって固定して，同様にディスプレイ装置Ａを後傾状態に維持するものとしてある。
【００３４】
本例にあっても，上記と同様に保持枠２０とともに背面パネル１４を放熱手段として，同じく速やかな放熱機能を確保したものとすることができる。その余は，上記例と変らないので，同じく同一符号を付して重複する説明を省略する。
【００３５】
以上のように構成したディスプレイ装置Ａは，可及的に少数の部品によって簡易に構成して可及的低コストのものとして市場に供給することができ，光透過性フィルムの高輝度の背面照明を行うとともに透明パネル１２を取外して容易に光透過性フィルムの交換を行うことができ，またＬＥＤユニット２１の高輝度ＬＥＤチップを用いることによる発熱を有効に放熱し，ＬＥＤチップの劣化を防止して耐久性に富んだものとすることができる。ディスプレイ装置Ａは，図１乃至図５及び図６の例では，支持脚２２を外して組立式のものとして，また図７のヒンジで支持脚を固定したものは，ヒンジで折畳み又はネジ固定を行うことなく，それぞれ組立式のものとしてコンパクトに梱包出荷することができる。また上記例は，いずれも導光パネル１０等の外周に外枠を配置することなく，側面を露出してディスプレイ装置の完成品としてあり，これによって，その導光パネル１０の側面が導光機能によって光輝し，透明パネル１２は，透明樹脂製とするも，導光パタンを有しないために側端面に光輝がなく，従って該露出した側面は，光輝する導光パネル１０を，非光輝の透明パネル１２，光拡散材１１，反射材１３，背面パネル１４がサンドイッチ状に挟持して明暗差を生じる形態のものとなり，該明暗差をデザイン要素とすることができる。
【００３６】
図示した例は以上のとおりとしたが，透明パネルの表面に永久磁石を配置することによって該透明パネルを挟持するように該透明パネルを設置すること，上記一対とした支持脚を，必要に応じて該一対の支持脚の中間に追加することによって該支持脚の数を増加すること，反射材を背面パネルに塗装配置すること等を含めて，本発明の実施に当って，ディスプレイ装置，導光パネル，光拡散材，透明パネル，光透過性フィルム，ＬＥＤユニット，ＬＥＤチップ，強磁性体，永久磁石，保持枠，支持脚，スペーサー等の各具体的形状，構造，材質，これらの関係，これらに対する付加等は，上記発明の要旨に反しない限り様々な形態のものとすることができる。
【図面の簡単な説明】
【００３７】
【図１】ディスプレイ装置の一部切欠斜視図である。
【図２】ディスプレイ装置の縦断面図である。
【図３】ディスプレイ装置の一部切欠正面図である。
【図４】透明パネルの永久磁石部分の拡大縦断面図である。
【図５】透明パネルの永久磁石部分の他の例を示す拡大縦断面図である。
【図６】他の例にかかるディスプレイ装置の縦断面図である。
【図７】更に他の例にかかるディスプレイ装置の一部切欠正面図である。
【符号の説明】
【００３８】
Ａ    ディスプレイ装置
１０  導光パネル
１１  光拡散材
１２  透明パネル
１３  反射材
１４  背面パネル  
２０  金属製保持枠
２１  ＬＥＤユニット
２２  支持脚
２３  ボルト
２４  ナット
２５  熱伝導用スペーサー
２６  支持スペーサー
３０  磁性体
３１  永久磁石
３２  カバー部材
【図１】
2008276124.tif 000003
【図２】
2008276124.tif 000004
【図３】
2008276124.tif 000005
【図４】
2008276124.tif 000006
【図５】
2008276124.tif 000007
【図６】
2008276124.tif 000008
【図７】
2008276124.tif 000009